(57)【要約】【課題】電子錠３０の交換に際しても、各金庫の安全性を損なうおそれをなくする。【解決手段】電子キー２０を発行する操作端末１０と、電子錠３０の交換時用の予備電子キー４２とを設け、予備電子キー４２は、操作端末１０により金庫の金庫番号を書き込むと、交換済みの電子錠３０にセットして金庫番号を電子錠３０に書き込み、金庫番号と錠番号とを組み合わせる識別コードを電子錠３０から読み出して操作端末１０に書き込むことにより、操作端末１０内の識別コードを更新する。【選択図】図１
2009293233.tif 000002
【特許請求の範囲】
【請求項１】
顧客キーによって解錠する顧客錠と、電子キーによって解錠する電子錠とを備える金庫錠を各金庫の扉に装備する貸金庫用のキーシステムであって、電子キーを発行する操作端末と、各金庫の電子錠の交換時用の予備電子キーとを備えてなり、前記操作端末は、各金庫の金庫番号と電子錠の錠番号とを組み合わせる識別コードを記憶しており、顧客を認証すると、顧客の金庫の金庫番号に対応する識別コードを電子キーに書き込んで発行する一方、前記予備電子キーは、電子錠を交換する金庫の金庫番号を前記操作端末によって書き込み、交換済みの電子錠にセットして金庫番号を電子錠に書き込み、金庫番号と錠番号とを組み合わせる識別コードを電子錠から読み出して前記操作端末に書き込むことにより、前記操作端末内の識別コードを更新することを特徴とする貸金庫用のキーシステム。
【請求項２】
各金庫の電子錠は、顧客錠と一体にして各金庫の扉の内面に装着することを特徴とする請求項１記載の貸金庫用のキーシステム。
【請求項３】
各金庫の電子錠は、顧客錠の鍵穴を露出させるようにして各金庫の扉の外面に装着することを特徴とする請求項１記載の貸金庫用のキーシステム。
【請求項４】
各電子錠には、解錠用のモータを施錠方向に駆動可能なコンデンサを内装することを特徴とする請求項２または請求項３記載の貸金庫用のキーシステム。
【請求項５】
各電子錠に固有の錠番号を書き込むデータライタを設け、該データライタは、錠番号が書き込まれた電子錠が各金庫の扉に取り付けられたら、各電子錠に金庫番号を書き込み、金庫番号と錠番号とを組み合わせる識別コードを各電子錠から読み出して前記操作端末に一括して書き込むことにより、前記操作端末内に識別コードを記憶させることを特徴とする請求項１ないし請求項４のいずれか記載の貸金庫用のキーシステム。
【発明の詳細な説明】
【技術分野】
【０００１】
この発明は、顧客キーと電子キーとを使用して貸金庫を適切に運用することができる貸金庫用のキーシステムに関する。
【背景技術】
【０００２】
各顧客が保持する顧客キーと、各顧客に対して随時貸し出して使用させる電子キーとを使用する半自動式の貸金庫システムが提案される（特許文献１、２）。
【０００３】
貸金庫の各金庫の扉には、顧客キーによって解錠する顧客錠の他に、電子キーによって解錠するスライドカバーが装着されている。スライドカバーは、電子キーをセットして解錠することにより、顧客錠の鍵穴を隠蔽する施錠位置から、鍵穴を露出させる解錠位置にスライド移動させることができる。そこで、金庫室の入口の操作端末に顧客が暗証番号を入力すると、操作端末上に待機している電子キーの１個に対し、顧客の金庫に特有の識別符号が書き込まれて電子キーが発行されるから、顧客は、発行された電子キーを使用して自分の金庫のスライドカバーを解錠した上、顧客キーを利用して金庫の扉を開き、金庫の内部を利用することができる。なお、操作端末は、暗証番号による顧客の認証後、顧客の金庫のスライドカバーを解錠する識別符号を電子キーに書き込んで発行し、電子キーは、スライドカバーの所定位置にセットすることにより、内蔵の電池によってスライドカバー内の電子回路に給電し、識別符号の照合成功によりスライドカバーを解錠させる。
【特許文献１】特開２００４−３６０２３９号公報
【特許文献２】特開２００６−８９９１５号公報
【発明の開示】
【発明が解決しようとする課題】
【０００４】
かかる従来技術によるときは、各金庫のスライドカバーには、固有の識別符号が設定されており、それに一致する識別符号の電子キーを介してスライドカバーが解錠されるから、各金庫の安全対策が必ずしも万全でないという問題があった。たとえば任意の金庫のスライドカバーを交換すると、識別符号が同一の新旧のスライドカバーが並存する事態が発生し、悪用される可能性が生じ得るからである。また、スライドカバーは、スライド移動させる必要があり、取付上のスペース効率が悪いため、金庫のサイズが小さいと、適用できない場合があり得る。
【０００５】
そこで、この発明の目的は、かかる従来技術の問題に鑑み、各金庫の金庫番号と電子錠の錠番号との組合せからなる識別コードを採用することによって、電子錠の交換に際しても、各金庫の安全性を損うおそれがなく、円滑に交換作業を遂行することができる上、金庫のサイズに拘らず、広く容易に適用可能な貸金庫用のキーシステムを提供することにある。
【課題を解決するための手段】
【０００６】
かかる目的を達成するためのこの発明の構成は、顧客キーによって解錠する顧客錠と、電子キーによって解錠する電子錠とを備える金庫錠を各金庫の扉に装備する貸金庫用のキーシステムであって、電子キーを発行する操作端末と、各金庫の電子錠の交換時用の予備電子キーとを備えてなり、操作端末は、各金庫の金庫番号と電子錠の錠番号とを組み合わせる識別コードを記憶しており、顧客を認証すると、顧客の金庫の金庫番号に対応する識別コードを電子キーに書き込んで発行する一方、予備電子キーは、電子錠を交換する金庫の金庫番号を操作端末によって書き込み、交換済みの電子錠にセットして金庫番号を電子錠に書き込み、金庫番号と錠番号とを組み合わせる識別コードを電子錠から読み出して操作端末に書き込むことにより、操作端末内の識別コードを更新することをその要旨とする。
【０００７】
なお、各金庫の電子錠は、顧客錠と一体にして各金庫の扉の内面に装着することができ、または、顧客錠の鍵穴を露出させるようにして各金庫の扉の外面に装着することができる。
【０００８】
また、各電子錠には、解錠用のモータを施錠方向に駆動可能なコンデンサを内装してもよい。
【０００９】
さらに、各電子錠に固有の錠番号を書き込むデータライタを設け、データライタは、錠番号が書き込まれた電子錠が各金庫の扉に取り付けられたら、各電子錠に金庫番号を書き込み、金庫番号と錠番号とを組み合わせる識別コードを各電子錠から読み出して操作端末に一括して書き込むことにより、操作端末内に識別コードを記憶させてもよい。
【発明の効果】
【００１０】
かかる発明の構成によるときは、端末装置は、顧客を認証して特定すると、顧客の金庫の金庫番号と、その金庫番号の金庫の電子錠の錠番号とを組み合わせる識別コードを電子キーに書き込んで電子キーを発行する。そこで、顧客は、発行された電子キーを使用して自分の金庫の電子錠を解錠した上、自分の顧客キーによって顧客錠を解錠し、金庫の扉を開いて金庫の内部を利用することができる。なお、各金庫用の電子錠は、各金庫の扉に取り付けて現用中のもの、将来の交換に備えて予備品としてストック中のものを含めて、それぞれ固有の錠番号があらかじめ書き込まれているものとする。すなわち、システム内には、錠番号が同一の電子錠が存在せず、したがって、電子錠を交換する場合であっても、電子キーに書き込まれる識別コードが重複する可能性がなく、各金庫に対し、高い安全性を容易に実現することができる。また、電子錠は、顧客錠とともに金庫の扉に固定して搭載すればよく、取付上のスペース効率がよいから、小さいサイズの金庫であっても、容易に適用可能である。なお、電子錠は、それ自体の故障や破損の際のみならず、顧客が変更になったり、顧客が顧客キーを紛失したりした際などにも交換することが好ましい。
【００１１】
一方、予備電子キーは、任意の金庫の電子錠を交換する場合に、操作端末を介してその金庫の金庫番号を書き込むと、交換済みの電子錠にセットしてその金庫番号を電子錠に書き込み、金庫番号と電子錠の錠番号とを組み合わせる識別コードを電子錠から読み出して操作端末に書き込むことにより、操作端末内の識別コードを更新することができる。すなわち、予備電子キーは、操作端末と、交換済みの電子錠との間を往復させることにより、交換済みの電子錠内に金庫番号を書き込み、操作端末内の識別コードのデータを最新状態に更新する。ただし、予備電子キーは、機械的、電気的に他の電子キーと互換性があるものとする。また、予備電子キーには、操作端末内の更新済みの識別コードのデータの全部をコピーして保存し、バックアップデータとし、マスタキーとして利用することができる。
【００１２】
各金庫の電子錠は、顧客錠と一体にして各金庫の扉の内面に装着することにより、最もコンパクトな機械電子式の金庫錠を構成することができる。なお、各金庫の扉の上面には、顧客錠の鍵穴と、電子キーのプラグに適合する電子錠のコネクタとが露出する。ただし、電子錠は、メモリ付きのマイクロコンピュータと、解錠用のモータとを内蔵しており、プラグ、コネクタを介して電子キーをセットすることにより、電子キー内の電池から給電され、電子キーからの識別コードをメモリ内の識別コードと照合した上、モータを駆動して電子錠を解錠し、顧客錠を解錠可能にする。
【００１３】
各金庫の電子錠は、顧客錠の鍵穴を外部に露出させるようにして各金庫の扉の外面に装着することにより、顧客錠とガード錠とからなる機械式の金庫錠を使用する既設の貸金庫であっても、電子キーと顧客キーとによって解錠する半自動式の貸金庫に容易にグレードアップ可能である。なお、各金庫の扉の上面には、顧客錠の鍵穴と、電子キーのプラグに適合するコネクタ付きの電子錠とが露出する。ただし、電子錠は、メモリ付きのマイクロコンピュータと、解錠用のモータとを内蔵しており、プラグ、コネクタを介して電子キーをセットすることにより、電子キー内の電池から給電され、電子キーからの識別コードをメモリ内の識別コードと照合した上、モータを駆動して電子錠を解錠し、電子錠のコネクタを回転可能にする。そこで、電子キーを軸まわりに回転させると、電子キーのプラグを介して電子錠のコネクタが回転し、コネクタと連動してガード錠のガードキーが回転することにより、ガード錠を解錠して顧客錠を解錠可能にすることができる。
【００１４】
各電子錠に内装するコンデンサは、電子キーを電子錠にセットすることにより電子キー内の電池によって充電され、電子キーを取り外しても、電子錠内の解錠用のモータを施錠方向に少なくとも１回以上駆動することができる。顧客の誤操作などにより、電子キーが電子錠から取り外されて電子錠が解錠されたまま放置された場合であっても、所定時間後（たとえば約２分後）、電子錠内のマイクロコンピュータは、コンデンサ内の電荷を電源としてモータを施錠方向に駆動して電子錠を自動施錠することにより、一層の安全性の向上を実現することができる。
【００１５】
各電子錠に錠番号を書き込むデータライタは、貸金庫の製造メーカによって保有され、製造メーカの担当者によって使用される。システム内において使用される電子錠は、データライタを介し、予備品を含むすべてに対して固有の錠番号が書き込まれた上、各金庫に取り付けて、予備品を除く現用中のものに金庫番号が書き込まれる。そこで、現用中の各電子錠から、各金庫の金庫番号と錠番号とを組み合わせる識別コードをデータライタに読み出し、それを操作端末に一括して書き込むことにより、操作端末は、各金庫の金庫番号と電子錠の錠番号とを組み合わせる識別コードのデータを一挙に取得し、それを記憶することができる。ただし、データライタは、各電子錠から識別コードを読み出したら、それを記憶してバックアップデータとして保存することにより、将来のサービス業務に役立てることができる。
【発明を実施するための最良の形態】
【００１６】
以下、図面を以って発明の実施の形態を説明する。
【００１７】
貸金庫用のキーシステムは、図示しない貸金庫を設置する金庫室Ｒ1 内において、操作端末１０と、電子キー２０、２０…と、貸金庫の各金庫に装備する電子錠３０、３０…とを備えてなる（図１）。
【００１８】
金庫室Ｒ1 の入口には、前室Ｒ2 との間に自動ドアＤＲが設置されており、自動ドアＤＲの前室Ｒ2 側には、カードリーダＣＲが設置されている。また、管理室Ｒ3 には、管理用のコンピュータＰＣが設置されており、カードリーダＣＲは、金庫室Ｒ1 内の操作端末１０とともに、コンピュータＰＣと双方向に接続されている。なお、操作端末１０の出力は、カードリーダＣＲにも接続されている。
【００１９】
操作端末１０は、本体１１上に操作ユニット１２を重ねるようにして形成されている（図２）。ただし、図２（Ａ）、（Ｂ）は、それぞれ全体正面図、全体側面図である。
【００２０】
本体１１上には、複数の電子キー２０、２０…を着脱可能にセットすることができる。セット中の各電子キー２０は、本体１１と電気的に接続され、本体１１と双方向にデータ通信することができるとともに、本体１１を介して電子キー２０内の電池を充電することができる。なお、本体１１は、セット中の電子キー２０、２０…の抜取りを禁止し、個別に抜取りを許容することができる。操作ユニット１２には、タッチ式の液晶パネル１２ａが組み込まれ、カード挿入口１２ｂ1 を有するカードリーダ１２ｂが組み込まれている。
【００２１】
電子キー２０は、手持ち可能な本体ケース２１の一端にプラグ２２を付設して形成されている（図３、図４）。ただし、図３（Ａ）、（Ｂ）は、それぞれ全体斜視図、同図（Ａ）の矢視相当図である。
【００２２】
電子キー２０には、メモリ２４付きのマイクロコンピュータ２３が組み込まれている。ただし、メモリ２４は、たとえばフラッシュメモリなどの書換え可能な不揮発性メモリである。マイクロコンピュータ２３は、周辺機器としてブザＢＺ、ランプ表示器Ｌ、ディスプレイＤＳを有し、充電可能な電池Ｂによって給電されている。なお、ランプ表示器Ｌ、ディスプレイＤＳは、本体ケース２１の外面に取り付けられている。また、電池Ｂの両極と、マイクロコンピュータ２３のデータ入出力端子は、プラグ２２の電極Ｐ1 、Ｐ2 、Ｐ3 として外部に引き出されている。
【００２３】
電子錠３０は、図示しない貸金庫の各金庫の扉５１の内面に装着されている（図５）。ただし、図５（Ａ）、（Ｂ）は、それぞれ使用状態模式側面図、扉５１の上面図である。
【００２４】
電子錠３０は、顧客錠５２と一体に組み合わされ、全体として各金庫の金庫錠５３を形成している。金庫錠５３は、扉５１の内面に装着され、扉５１を開閉不能に施錠するデッドボルト５３ａを有する。また、扉５１の上面には、電子キー２０のプラグ２２に適合する電子錠３０のコネクタ３１と、顧客錠５２の鍵穴５２ａとが露出しており、鍵穴５２ａには、顧客錠５２用の顧客キー５２ｂを差し込むことができる。
【００２５】
電子錠３０には、解錠用のモータＭの他、メモリ３３付きのマイクロコンピュータ３２、コンデンサＣＤ、スイッチ素子ＳＷが組み込まれている（図４）。ただし、メモリ３３は、電子キー２０のメモリ２４と同様の書換え可能な不揮発性メモリである。コンデンサＣＤは、電子キー２０側の電極Ｐ1 、Ｐ2 に対応するコネクタ３１の電極Ｐ1 、Ｐ2 に接続されており、モータＭは、スイッチ素子ＳＷを介して電極Ｐ1 、Ｐ2 に接続されている。また、マイクロコンピュータ３２は、コンデンサＣＤの両端から給電されており、マイクロコンピュータ３２のデータ入出力端子は、電子キー２０側の電極Ｐ3 に対応するコネクタ３１の電極Ｐ3 に接続されている。
【００２６】
そこで、電子キー２０のプラグ２２、電子錠３０のコネクタ３１を介して電子キー２０を電子錠３０にセットすると（図５（Ａ））、電子錠３０は、電子キー２０内の電池Ｂにより給電され、コンデンサＣＤが充電されるとともに、マイクロコンピュータ３２は、必要に応じて、電子キー２０内のマイクロコンピュータ２３と双方向にデータ通信し、スイッチ素子ＳＷを介してモータＭを電子錠３０の解錠方向、施錠方向に回転駆動することができる。なお、コンデンサＣＤは、電子キー２０の電池Ｂから切り離されても、モータＭを少なくとも１回以上施錠方向に駆動し、解錠状態の電子錠３０を施錠状態に移行させることができる。また、金庫錠５３は、電子錠３０を解錠すると、顧客錠５２が顧客キー５２ｂによって解錠可能となり、顧客錠５２を解錠することにより、扉５１を開いて金庫の内部が利用可能となる。なお、顧客錠５２が解錠されると、電子錠３０は、自動的に施錠状態に復帰する。
【００２７】
操作端末１０、電子キー２０、２０…、電子錠３０、３０…には、各電子錠３０に固有の錠番号Ｎi （ｉ＝１、２…）を書き込むデータライタ４１と、各金庫の電子錠３０の交換時用の予備電子キー４２とが組み合わされている（図１）。なお、予備電子キー４２は、電子キー２０と機械的、電気的に互換性があるものとする。
【００２８】
データライタ４１による準備作業の概要は、たとえば図６のフローチャートに示すとおりである。
【００２９】
各電子錠３０の固有の錠番号Ｎi は、現に貸金庫の各金庫に取り付けられる電子錠３０、３０…の他、予備品として用意される１個以上の電子錠３０についても設定されるものとする。そこで、まず、これらの錠番号Ｎi のリストを一括してデータライタ４１に書き込む（図６のステップ（１）、以下、単に（１）のように記す）。
【００３０】
つづいて、データライタ４１を利用して、各電子錠３０に対して錠番号Ｎi を個別に書き込み（２）、そのようにして錠番号Ｎi を書き込んだ各電子錠３０を貸金庫の各金庫に取り付ける（３）。その後、各金庫に装着済みの各電子錠３０に対し、データライタ４１を利用して、その金庫の金庫番号Ｋj （ｊ＝１、２…）を書き込む（４）。なお、このようにして電子錠３０に書き込まれる錠番号Ｎi 、金庫番号Ｋj は、いずれも電子錠３０内のメモリ３３に記憶される。
【００３１】
次に、各電子錠３０から、メモリ３３内の金庫番号Ｋj と錠番号Ｎi とを組み合わせる識別コードＣj （ｊ＝１、２…）をデータライタ４１に読み出す（５）。データライタ４１は、そのようにして読み出された識別コードＣj を記憶して保持するとともに、操作端末１０に一括して書き込むことにより（６）、操作端末１０は、各金庫の金庫番号Ｋj と、その金庫の電子錠３０の錠番号Ｎi とを組み合わせる識別コードＣj のデータの一式を取得して記憶することができる。なお、図６のステップ（１）は、貸金庫の製造メーカで実施し、ステップ（２）は、貸金庫の製造メーカで、または、貸金庫を設置する現地で実施し、ステップ（３）〜（６）は、現地の金庫室Ｒ1 で実施することが好ましい。また、データライタ４１は、貸金庫の製造メーカで保有することが好ましい。
【００３２】
一方、図１において、前室Ｒ2 に到来する顧客は、認証用の磁気カードと、自分の金庫の顧客錠５２に適合する顧客キー５２ｂとを保持している。そこで、顧客は、前室Ｒ2 のカードリーダＣＲに磁気カードを挿入して認証を受けることにより、自動ドアＤＲを通って金庫室Ｒ1 に入室することができ、管理用のコンピュータＰＣは、顧客の入室を記録することができる。また、このとき、操作端末１０上には、複数の電子キー２０、２０…がセットされ、電池Ｂが充電され、抜取りが禁止された状態で待機している（図２）。
【００３３】
金庫室Ｒ1 内に入室した顧客は、操作端末１０のカードリーダ１２ｂに磁気カードを挿入して再度の認証を受けるとともに、タッチ式の液晶パネル１２ａに表示されるガイドメッセージに従って、液晶パネル１２ａを介して暗証番号を入力することにより、顧客を特定するための一連の認証情報を操作端末１０に入力する（図７のステップ（１）、以下、単に（１）のように記す）。なお、顧客の磁気カードには、顧客の金庫の金庫番号Ｋが併せて記録されており、操作端末１０は、顧客の磁気カードから金庫番号Ｋを読み取るものとする。また、操作端末１０による顧客の認証結果データは、管理用のコンピュータＰＣに記録される。
【００３４】
その後、操作端末１０は、図８のサブルーチンに従って、電子キー２０を発行する（２）。
【００３５】
操作端末１０は、まず、金庫番号Ｋj と電子錠３０の錠番号Ｎi とを組み合わせる識別コードＣj のデータを検索して、顧客の金庫の金庫番号Ｋに対応する電子錠３０の錠番号Ｎを抽出し、金庫番号Ｋと錠番号Ｎとを組み合わせる識別コードＣを生成する（図８のステップ（１１）、以下、単に（１１）のように記す）。つづいて、操作端末１０は、本体１１上にセットされている電子キー２０、２０…の１個に識別コードＣを書き込む（１２）。電子キー２０に対する識別コードＣの書込みが正常であれば（１３）、その電子キー２０上のランプ表示器Ｌ、ディスプレイＤＳを介して書込み完了が表示され、操作端末１０は、その電子キー２０の抜取りを許容し（１４）、併せて監視用のタイマをセットする。なお、特定の電子キー２０に対する識別コードＣの書込みが正常でないときは（１３）、次の電子キー２０を選択して（１５）、同様の動作を繰り返す（（１２）、（１３）、（１５））。
【００３６】
タイマのセット時間（たとえば２０秒間）内に、識別コードＣが正常に書き込まれた電子キー２０が操作端末１０から顧客によって抜き取られると（（１６）、（１７））、電子キー２０の発行手順が正常に完了し、以後の動作は、図７のステップ（３）以降に移る。一方、タイマのセット時間内に電子キー２０が操作端末１０から抜き取られないと（（１６）、（１７）、（１６））、操作端末１０は、その電子キー２０の抜取りを禁止するとともに（１８）、電子キー２０内に書き込んだ識別コードＣを強制的にクリアして（１９）、以後の動作を強制終了させる。
【００３７】
操作端末１０によって電子キー２０が正常に発行されると、顧客は、正常に発行された電子キー２０を自分の金庫の電子錠３０にセットする（図７のステップ（３）、以下、単に（３）のように記す、図５（Ａ））。そこで、電子錠３０のマイクロコンピュータ３２は、電子キー２０の電池Ｂから給電され、電子キー２０内の識別コードＣを読み出してメモリ３３内の金庫番号Ｋj 、錠番号Ｎi と照合し、両者の金庫番号Ｋ＝Ｋj 、錠番号Ｎ＝Ｎi を確認すると、スイッチ素子ＳＷを介してモータＭを解錠方向に駆動して電子錠３０を解錠する。その後、顧客は、電子キー２０を電子錠３０から取り外すとともに、顧客キー５２ｂによって顧客錠５２を解錠し（４）、扉５１を開いて金庫の内部を利用する。
【００３８】
金庫の利用が終わったら、顧客は、扉５１を閉じて顧客錠５２を施錠し（５）、電子キー２０を操作端末１０にセットして返却する（６）。なお、電子キー２０の返却により、貸金庫の利用完了の情報が電子キー２０から操作端末１０に入力され、操作端末１０は、その電子キー２０の抜取りを禁止するとともに（７）、電子キー２０内の識別コードＣを消去し、電子キー２０内の電池Ｂの充電動作を開始する。また、操作端末１０は、前室Ｒ2 のカードリーダＣＲを介して自動ドアＤＲを解錠し（８）、顧客を金庫室Ｒ1 から退室させるとともに、電子キー２０による貸金庫の利用完了情報を管理用のコンピュータＰＣに送信して報告する。
【００３９】
各金庫上の電子錠３０の交換時には、予備電子キー４２を使用する（図９）。
【００４０】
まず、予備電子キー４２を操作端末１０にセットし（図９のステップ（１）、以下、単に（１）のように記す）、電子錠３０を交換しようとする金庫の金庫番号Ｋを操作端末１０に入力すると（２）、操作端末１０は、予備電子キー４２に金庫番号Ｋを書き込む（３）。そこで、金庫番号Ｋの金庫の電子錠３０を交換した上、交換された新しい電子錠３０に予備電子キー４２をセットすると（４）、予備電子キー４２内の金庫番号Ｋが電子錠３０に書き込まれ（５）、さらに、電子錠３０から金庫番号Ｋと錠番号Ｎとを組み合わせる識別コードＣが予備電子キー４２に自動的に読み出される（６）。ただし、このときの錠番号Ｎは、交換された新しい電子錠３０にあらかじめデータライタ４１により書き込まれているものである（図６のステップ（２））。
【００４１】
つづいて、予備電子キー４２を電子錠３０から取り外して操作端末１０に再セットすると（７）、予備電子キー４２は、操作端末１０に識別コードＣを書き込むことにより（８）、操作端末１０内の識別コードＣj のデータを更新することができる。また、操作端末１０は、更新された識別コードＣj のデータの全部を予備電子キー４２に一括して書き込むことにより（９）、バックアップデータとして保存するとともに、必要に応じて、予備電子キー４２をすべての金庫の電子錠３０、３０…に適合するマスタキーとして使用することができる。
【００４２】
以上の説明において、各金庫の金庫番号Ｋj と電子錠３０の錠番号Ｎi とを組み合わせる識別コードＣj は、たとえば金庫番号Ｋj 、錠番号Ｎi を前後に一連に結合するデータ形式であってもよく（図１０（Ａ）、（Ｂ））、金庫番号Ｋj と、対応する錠番号Ｎi とを相互に対応させる対応データＤj （ｊ＝１、２…）のデータ形式であってもよい（同図（Ｃ））。また、たとえば、電子キー２０、電子錠３０、予備電子キー４２内では、図１０（Ａ）または（Ｂ）のデータ形式を使用し、操作端末１０、データライタ４１内では、図１０（Ｃ）のデータ形式を採用してもよい。
【００４３】
なお、電子キー２０は、操作端末１０により正常に発行された後、電子錠３０にセットされずに放置されると、たとえば約５分間の所定時間後に電気的に使用不能にロックすることが好ましい。また、電子キー２０のディスプレイＤＳには、金庫番号Ｋj の他、電子錠３０の解錠状態、電子錠３０の解錠後の顧客錠５２の解錠指示などの各種のガイドメッセージを表示することができる。また、ランプ表示器Ｌは、電池Ｂの充電中・充電完了の別、電子キー２０と操作端末１０、電子錠３０とのデータ通信の成否などを表示し、ブザＢＺは、電子キー２０を操作端末１０にセットしたとき、電子キー２０により電子錠３０が解錠されたときなどに鳴動させる。
【００４４】
さらに、操作端末１０は、磁気カードにより顧客を認証して特定するに加えて、生体認証システムを導入してもよい。生体認証システムは、たとえば顧客の指紋、静脈パターン、顔、虹彩、角膜などの生体パターンを利用して顧客を認証し、特定する。
【他の実施の形態】
【００４５】
各金庫の電子錠３０は、顧客錠５２の鍵穴５２ａを外部に露出させるようにして各金庫の扉５１の外面に装着することができる（図１１）。ただし、図１１（Ａ）、（Ｂ）は、それぞれ使用状態模式側面図、扉５１の上面図である。
【００４６】
図１１において、顧客錠５２は、ガード錠５４と一体に組み合わされ、デッドボルト５５ａ付きの機械式の金庫錠５５を形成している。一方、電子錠３０は、顧客錠５２の鍵穴５２ａに差し込む顧客キー５２ｂの回転操作に差し支えない形状に形成され、扉５１の上面に固定されている。ガード錠５４には、ガードキー５４ａが装着されており、ガードキー５４ａは、扉５１を貫通し、電子錠３０の上面に露出する電子錠３０のコネクタ３１に連動している。なお、コネクタ３１は、ガード錠５４を解錠し、施錠するために、ガードキー５４ａとともに正逆に９０°の範囲に回転可能である。
【００４７】
電子キー２０のプラグ２２の外側には、軸方向の補助ピン２２ａが立設されており（図１２）、プラグ２２の外周には、外向きの係合ピン２２ｂ、２２ｂが一直線上に対称形に付設されている。ただし、図１２（Ａ）、（Ｂ）は、それぞれ全体斜視図、同図（Ａ）の矢視相当図である。電子錠３０のコネクタ３１には、電子キー２０側の補助ピン２２ａ、係合ピン２２ｂ、２２ｂに対応する挿入穴３１ａ、係合溝３１ｂ、３１ｂが形成されている（図１１）。また、電子錠３０内の解錠用のモータＭは、ロックピン３４に連結されており、ロックピン３４は、コネクタ３１に係脱する（図１１（Ａ）のＡ1 矢視方向）。そこで、モータＭは、ロックピン３４を介してコネクタ３１、ガードキー５４ａの回転を阻止し、許容することにより、電子錠３０を施錠し、解錠することができる。
【００４８】
図１１、図１２の電子キー２０、電子錠３０も、基本的に図６〜図９のフローチャートに従って動作する。ただし、図７のステップ（３）において、識別コードＣが正常に書き込まれた電子キー２０を電子錠３０にセットすると（図１１（Ａ））、識別コードＣが電子錠３０に読み出され、電子錠３０内の金庫番号Ｋj 、錠番号Ｎi との照合の上、モータＭにより電子錠３０が解錠され、コネクタ３１、ガードキー５４ａが回転可能となる。そこで、電子キー２０を軸まわりに９０°回転させ（図１１（Ａ）のＡ2 矢視方向）、プラグ２２、コネクタ３１を介してガードキー５４ａを回転させてガード錠５４を解錠させると、顧客錠５２が解錠可能となる。したがって、以下、電子キー２０を電子錠３０から取り外すとともに、図７のステップ（４）以降のとおり、顧客キー５２ｂによって顧客錠５２を解錠して一連の動作を続行すればよい。
【００４９】
なお、ガード錠５４は、顧客錠５２を解錠させると、電子錠３０とともに自動的に元の施錠状態に復帰する。また、電子キー２０を回転させるとき、補助ピン２２ａ、係合ピン２２ｂ、２２ｂは、それぞれ電子錠３０側の挿入穴３１ａに挿入され、係合溝３１ｂ、３１ｂに係合することにより、十分大きな回転力をコネクタ３１に加えることができ、プラグ２２、コネクタ３１の各電極Ｐ1 、Ｐ2 、Ｐ3 に過大な力が加わるおそれがない。
【図面の簡単な説明】
【００５０】
【図１】全体ブロック系統図
【図２】操作端末の構成説明図
【図３】電子キーの構成説明図
【図４】電子キー、電子錠のブロック系統図
【図５】金庫錠の模式説明図
【図６】動作フローチャート（１）
【図７】動作フローチャート（２）
【図８】動作フローチャート（３）
【図９】動作フローチャート（４）
【図１０】データ形式説明図
【図１１】他の実施の形態を示す図５相当図
【図１２】他の実施の形態を示す図３相当図
【符号の説明】
【００５１】
Ｍ…モータ
ＣＤ…コンデンサ
Ｃ、Ｃj …識別コード
Ｋ、Ｋj …金庫番号
Ｎ、Ｎi …錠番号
１０…操作端末
２０…電子キー
３０…電子錠
４１…データライタ
４２…予備電子キー
５１…扉
５２…顧客錠
５２ａ…鍵穴
５２ｂ…顧客キー
５３、５５…金庫錠
特許出願人                            蓮  田  修  次
北京富工利徳科技▲発▼展有限公司
代理人  弁理士                        松  田  忠  秋
【図１】
2009293233.tif 000003
【図２】
2009293233.tif 000004
【図３】
2009293233.tif 000005
【図４】
2009293233.tif 000006
【図５】
2009293233.tif 000007
【図６】
2009293233.tif 000008
【図７】
2009293233.tif 000009
【図８】
2009293233.tif 000010
【図９】
2009293233.tif 000011
【図１０】
2009293233.tif 000012
【図１１】
2009293233.tif 000013
【図１２】
2009293233.tif 000014